(57)【要約】【課題】  低消費電力で、且つ効率的なエラー対策を行うことができるデコード装置、情報再生装置及び電子機器を提供する。【解決手段】  デコード装置１０は、チューナからのパケットデータが所与の期間入力されないタイムアウトの発生を監視するパケット監視部２０と、前記パケットデータに対してデコード処理を行うデコーダ３０とを含む。パケット監視部２０が、前記タイムアウトの発生を検出したことをデコーダ３０に通知し、デコーダ３０が、前記タイムアウトの発生が検出されたことを通知されたとき、チューナを停止させる指示を行う。【選択図】      図１
2008022053.tif 000002
【特許請求の範囲】
【請求項１】
受信したパケットデータに対してデコード処理を行うためのデコード装置であって、
チューナからのパケットデータが所与の期間入力されないタイムアウトの発生を監視するパケット監視部と、
前記パケットデータに対してデコード処理を行うデコーダとを含み、
前記パケット監視部が、
前記タイムアウトの発生を検出したことを前記デコーダに通知し、
前記デコーダが、
前記タイムアウトの発生が検出されたことを通知されたとき、前記チューナを停止させる指示を行うことを特徴とするデコード装置。
【請求項２】
請求項１において、
前記パケット監視部が、
前記デコーダにより設定されたインターバル値に対応した期間をカウントするカウンタを含み、
前記チューナからのパケットデータが入力されるごとに前記カウンタのカウント値が初期化され、
前記期間をカウントしたときに前記デコーダに対して割り込みを発生することを特徴とするデコード装置。
【請求項３】
受信したパケットデータに対してデコード処理を行うためのデコード装置であって、
パケットデータが格納されるバッファと、
入力されたパケットデータのエラーを検出してエラー情報を生成し、該エラー情報を前記パケットデータに関連付けて前記パケットデータと共に前記バッファに格納するエラー検出部と、
前記バッファに格納されたパケットデータのエラー情報に基づいて、第１又は第２のエラーが発生したか否かを判別するエラー解析部と、
前記エラー解析部によって判別された前記第１又は第２のエラーに応じて当該パケットデータに対してデコード処理を行うデコーダとを含むことを特徴とするデコード装置。
【請求項４】
請求項３において、
前記エラー解析部が、
パケット毎に前記エラー情報をカウントしたカウント結果に基づいて第１又は第２のエラーの発生を判別することを特徴とするデコード装置。
【請求項５】
請求項３又は４において、
前記エラー解析部が、
パケット毎に前記エラー情報を監視し、所与の閾値を超えたパケット数分連続してエラーが発生したとき第１のエラーの発生を検出し、前記閾値以下のパケット数分連続してエラーが発生したとき第２のエラーの発生を検出することを特徴とするデコード装置。
【請求項６】
請求項３乃至５のいずれかにおいて、
前記パケットデータが、ＴＳ（Transport Stream)パケットであり、
前記第１のエラーの発生を検出したとき、画像シーケンスの先頭のピクチャを検索する処理を行い、
第２のエラーの発生を検出したとき、当該スライスをスキップする処理を行うことを特徴とするデコード装置。
【請求項７】
請求項３乃至６のいずれかにおいて、
前記エラー情報が、
ＲＳ（Read Solomon）符号エラーが発生したか否かを示す情報であることを特徴とするデコード装置。
【請求項８】
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
チューナから前記第１〜第３のＴＳパケットが所与の期間入力されないタイムアウトの発生を監視し、前記タイムアウトの発生を検出したことを前記映像デコーダ又は前記音声デコーダに通知し、
前記映像デコーダ又は前記音声デコーダが、
前記タイムアウトの発生が検出されたことを通知されたとき、前記チューナを停止させる指示を行うことを特徴とする情報再生装置。
【請求項９】
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
前記第１〜第３のＴＳパケットの各ＴＳパケットのエラーを検出してエラー情報を生成し、該エラー情報を前記パケットに関連付けて前記ＴＳパケットと共に前記メモリに格納し、
前記映像デコーダ又は前記音声デコーダが、
前記メモリに格納されたパケットのエラー情報に基づいて、第１又は第２のエラーが発生したか否かを判別し、前記第１又は第２のエラーに応じて当該パケットに対してデコード処理を行うことを特徴とする情報再生装置。
【請求項１０】
請求項９において、
前記映像デコーダが、
パケット毎に前記エラー情報を監視し、所与の閾値を超えたパケット数分連続してエラーが発生したとき第１のエラーの発生を検出し、前記閾値以下のパケット数分連続してエラーが発生したとき第２のエラーの発生を検出することを特徴とする情報再生装置。
【請求項１１】
請求項９又は１０において、
前記第１のエラーの発生を検出したとき、画像シーケンスの先頭のピクチャを検索する処理を行い、
第２のエラーの発生を検出したとき、当該スライスをスキップする処理を行うことを特徴とする情報再生装置。
【請求項１２】
請求項８乃至１１のいずれかにおいて、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことを特徴とする情報再生装置。
【請求項１３】
請求項８乃至１２のいずれかにおいて、
前記映像データ及び音声データのうち前記映像データのみを再生するときは、前記音声デコーダの動作を停止させ、
前記映像データ及び音声データのうち前記音声データのみを再生するときは、前記デコード装置の動作を停止させることを特徴とする情報再生装置。
【請求項１４】
請求項８乃至１３のいずれか記載の情報再生装置と、
前記情報再生装置に対し、前記映像デコード処理及び前記音声デコード処理の少なくとも１つの処理開始を指示するホストとを含むことを特徴とする電子機器。
【請求項１５】
チューナと、
前記チューナからのトランスポートストリームが供給される請求項８乃至１３のいずれか記載の情報再生装置と、
前記情報再生装置に対し、前記映像デコード処理及び前記音声デコード処理の少なくとも１つの処理開始を指示するホストとを含むことを特徴とする電子機器。
【発明の詳細な説明】
【技術分野】
【０００１】
本発明は、デコード装置、情報再生装置及び電子機器に関する。
【背景技術】
【０００２】
地上アナログ放送に替わって登場する地上デジタル放送では、画像及び音声の高品質化に加えて種々の新サービスの提供に期待が寄せられている。地上デジタル放送の導入によって新たに提供されるサービスの１つに、携帯端末向けサービスとして、いわゆる「１セグメント放送」がある。「１セグメント放送」では、ＱＰＳＫ（Quadrature Phase Shift Keying）変調方式で変調されたデジタル変調波をＯＦＤＭ（Orthogonal Frequency Division Multiplexing）変調方式で多重化することで、携帯端末の移動時でも安定した放送受信が可能となる。
【０００３】
このような携帯端末の一例として、携帯電話機がある。携帯電話機に「１セグメント放送」の受信機能を付加する場合、圧縮処理後の映像データ及び音声データが多重化されたトランスポートストリームの分離処理や分離処理後のデータのデコード処理を行う。このとき、映像データのデコード処理を行う処理部と音声データのデコード処理を行う処理部との間で通信を行って、デコード処理後の映像データ及び音声データを、同期をとりながら再生する。
【０００４】
このデジタル放送を再生する技術として、例えば特許文献１には、受信不能をユーザに通知するために、トランスポートストリームからパケットを分離するトランスポートストリームＤＭＵＸの前段に誤り訂正部を設け、該誤り訂正部において検出されたエラーの頻度から受信レベルの変化を求める技術が開示されている。これにより、降雨等により受信レベルが悪化したことを認識しやすくなる。
【０００５】
また特許文献２には、ログ生成回路によりパケットの先頭と終了の位置にログ情報を付加し、パケットを処理する際にＣＰＵ（Central Processing Unit）が各パケットの前後のログ情報を読み出したパケットのステータス情報を取得できるようにしたシステムが開示されている。
【特許文献１】特開２０００−１１５６５４号公報
【特許文献２】特開２０００−１５６７０５号公報
【発明の開示】
【発明が解決しようとする課題】
【０００６】
ところで、「１セグメント放送」をはじめとする「地上デジタル放送」では、放送信号が電波信号として送信されるため、常に正常な受信信号が得られるとは限らない。しかしながら、一般的に、チューナ側からその後段側にチューナのステータスを通知する手段がない。そのため、チューナの不具合が発生した状況であっても、後段側では再生のためにデコード処理を進めなければならない。従って、電波の受信環境が劣悪であったりチューナ自体が故障したりした場合であっても、チューナの後段側で誤り訂正等の対策を行いながらデコード処理等を行っているのが現状である。この場合、例えばチューナの故障等でデコード処理が明らかに不可能な場合であっても、デコード処理等を繰り返し、無駄な電力を消費してしまうことになる。
【０００７】
また、デコード処理対象となるデータはＴＳ（Transport Stream）パケットが連続したトランスポートストリームとして受信され、ＰＥＳ（Packet Elementary Stream）パケットに組み立てられた後に、該ＰＥＳパケットの中からＥＳ（Elementary Stream）データが取り出されて同期再生処理に供される。そのため、ＴＳパケットからＥＳデータを分離してしまうと、両者の関連性が全くなくなり、ＴＳパケットでエラーを検出した場合、デコード処理対象のＥＳデータにおいてエラーの発生した箇所を特定することが困難となり、後段側ではデコード処理を直ぐに停止させざるを得なくなる。この場合、正しいデータであるにもかかわらず、デコード処理を停止させてしまうこともある。更にまた、デコーダ側にエラー検出の有無のみを通知するだけでは、正しくデコードできる可能性があるにもかかわらずデコード処理を停止させてしまう場合もある。
【０００８】
以上のように、「１セグ放送」等に代表される「デジタル放送」においては、エラー発生時に再送が不可能なデータの取りこぼしがないように、無駄な処理を行うことなく低消費電力で、且つできるだけ多くの正常なデータを再生するという効率的なエラー対策が望まれる。
【０００９】
本発明は、以上のような技術的課題に鑑みてなされたものであり、その目的とするところは、低消費電力で、且つ効率的なエラー対策を行うことができるデコード装置、情報再生装置及び電子機器を提供することにある。
【課題を解決するための手段】
【００１０】
上記課題を解決するために本発明は、
受信したパケットデータに対してデコード処理を行うためのデコード装置であって、
チューナからのパケットデータが所与の期間入力されないタイムアウトの発生を監視するパケット監視部と、
前記パケットデータに対してデコード処理を行うデコーダとを含み、
前記パケット監視部が、
前記タイムアウトの発生を検出したことを前記デコーダに通知し、
前記デコーダが、
前記タイムアウトの発生が検出されたことを通知されたとき、前記チューナを停止させる指示を行うデコード装置に関係する。
【００１１】
本発明によれば、チューナからのパケットデータが所与の期間入力されないタイムアウトの発生を検出し、該タイムアウトが発生したときにデコーダ側に通知させることで、チューナを停止させるようにしたので、チューナ側で電波の受信環境が劣悪なことに起因する受信劣化と、チューナ自体の故障に起因する受信劣化とを区別できるようになり、無駄な電力を消費することなくデコード処理を行うことができるようになる。
【００１２】
また本発明に係るデコード装置では、
前記パケット監視部が、
前記デコーダにより設定されたインターバル値に対応した期間をカウントするカウンタを含み、
前記チューナからのパケットデータが入力されるごとに前記カウンタのカウント値が初期化され、
前記期間をカウントしたときに前記デコーダに対して割り込みを発生することができる。
【００１３】
本発明によれば、簡素な構成でタイムアウトの発生を検出することができるようになる。
【００１４】
また本発明は、
受信したパケットデータに対してデコード処理を行うためのデコード装置であって、
パケットデータが格納されるバッファと、
入力されたパケットデータのエラーを検出してエラー情報を生成し、該エラー情報を前記パケットデータに関連付けて前記パケットデータと共に前記バッファに格納するエラー検出部と、
前記バッファに格納されたパケットデータのエラー情報に基づいて、第１又は第２のエラーが発生したか否かを判別するエラー解析部と、
前記エラー解析部によって判別された前記第１又は第２のエラーに応じて当該パケットデータに対してデコード処理を行うデコーダとを含むデコード装置に関係する。
【００１５】
本発明によれば、「エラーなし」、「軽微なエラー発生」、「致命的なエラー発生」のいずれかを判別し、判別した区分に応じたデコード処理を行うようにしたので、例えばＴＳパケットからＥＳデータを分離して両者の関連性が全くなくなりにもかかわらずＴＳパケットでエラーを検出した場合においても、デコーダではデコード処理を直ぐに停止させることなく、正しいデータに対するデコード処理を継続させることができる。
【００１６】
また本発明に係るデコード装置では、
前記エラー解析部が、
パケット毎に前記エラー情報をカウントしたカウント結果に基づいて第１又は第２のエラーの発生を判別することができる。
【００１７】
本発明によれば、簡素な制御で、第１又は第２のエラーを判別する処理を行うことができる。
【００１８】
また本発明に係るデコード装置では、
前記エラー解析部が、
パケット毎に前記エラー情報を監視し、所与の閾値を超えたパケット数分連続してエラーが発生したとき第１のエラーの発生を検出し、前記閾値以下のパケット数分連続してエラーが発生したとき第２のエラーの発生を検出することができる。
【００１９】
本発明によれば、第１のエラーの発生条件を定常的な要因に起因するものとした場合において、容易に第１のエラーの発生の有無を判別できるようになる。
【００２０】
また本発明に係るデコード装置では、
前記パケットデータが、ＴＳ（Transport Stream)パケットであり、
前記第１のエラーの発生を検出したとき、画像シーケンスの先頭のピクチャを検索する処理を行い、
第２のエラーの発生を検出したとき、当該スライスをスキップする処理を行うことができる。
【００２１】
本発明によれば、第１のエラーの発生を検出したときに次の画像シーケンスのデコード処理を行わせ、且つ第２のエラーの発生を検出したときには当該スライスをスキップさせるようにしたので、無駄なデコード処理を行うことなく低消費電力を実現しつつ、効率的なエラー処理を行うことができる。
【００２２】
また本発明に係るデコード装置では、
前記エラー情報が、
ＲＳ（Read Solomon）符号エラーが発生したか否かを示す情報であってもよい。
【００２３】
また本発明は、
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
チューナから前記第１〜第３のＴＳパケットが所与の期間入力されないタイムアウトの発生を監視し、前記タイムアウトの発生を検出したことを前記映像デコーダ又は前記音声デコーダに通知し、
前記映像デコーダ又は前記音声デコーダが、
前記タイムアウトの発生が検出されたことを通知されたとき、前記チューナを停止させる指示を行う情報再生装置に関係する。
【００２４】
本発明によれば、チューナからのパケットデータが所与の期間入力されないタイムアウトの発生を検出し、該タイムアウトが発生したときにデコーダ側に通知させることで、チューナを停止させるようにしたので、チューナ側で電波の受信環境が劣悪なことに起因する受信劣化と、チューナ自体の故障に起因する受信劣化とを区別できるようになり、無駄な電力を消費することなくデコード処理を行う情報再生装置を提供できるようになる。
【００２５】
また本発明は、
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記分離処理部が、
前記第１〜第３のＴＳパケットの各ＴＳパケットのエラーを検出してエラー情報を生成し、該エラー情報を前記パケットに関連付けて前記ＴＳパケットと共に前記メモリに格納し、
前記映像デコーダ又は前記音声デコーダが、
前記メモリに格納されたパケットのエラー情報に基づいて、第１又は第２のエラーが発生したか否かを判別し、前記第１又は第２のエラーに応じて当該パケットに対してデコード処理を行う情報再生装置に関係する。
【００２６】
本発明によれば、「エラーなし」、「軽微なエラー発生」、「致命的なエラー発生」のいずれかを判別し、判別した区分に応じたデコード処理を行うようにしたので、例えばＴＳパケットからＥＳデータを分離して両者の関連性が全くなくなりにもかかわらずＴＳパケットでエラーを検出した場合においても、デコーダではデコード処理を直ぐに停止させることなく、正しいデータに対するデコード処理を継続させる情報再生装置を提供できる。
【００２７】
また本発明に係る情報再生装置では、
前記映像デコーダが、
パケット毎に前記エラー情報を監視し、所与の閾値を超えたパケット数分連続してエラーが発生したとき第１のエラーの発生を検出し、前記閾値以下のパケット数分連続してエラーが発生したとき第２のエラーの発生を検出することができる。
【００２８】
本発明によれば、第１のエラーの発生条件を頻度が高く定常的な要因に起因するものとした場合において、容易に第１のエラーの発生の有無を判別できるようになる。
【００２９】
また本発明に係る情報再生装置では、
前記第１のエラーの発生を検出したとき、画像シーケンスの先頭のピクチャを検索する処理を行い、
第２のエラーの発生を検出したとき、当該スライスをスキップする処理を行うことができる。
【００３０】
本発明によれば、第１のエラーの発生を検出したときに次の画像シーケンスのデコード処理を行わせ、且つ第２のエラーの発生を検出したときには当該スライスをスキップさせるようにしたので、無駄なデコード処理を行うことなく低消費電力を実現しつつ、効率的なエラー処理を行うことができる。
【００３１】
また本発明に係る情報再生装置では、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことができる。
【００３２】
本発明によれば、上記の効果に加えて、処理能力の低い処理回路を用いて低消費電力で、処理負荷の重いデコード処理を実現する情報再生装置を提供できる。
【００３３】
また本発明に係る情報再生装置では、
前記映像データ及び音声データのうち前記映像データのみを再生するときは、前記音声デコーダの動作を停止させ、
前記映像データ及び音声データのうち前記音声データのみを再生するときは、前記デコード装置の動作を停止させることができる。
【００３４】
本発明によれば、情報再生装置のより一層の低消費電力化を実現できる。
【００３５】
また本発明は、
上記のいずれか記載の情報再生装置と、
前記情報再生装置に対し、前記映像デコード処理及び前記音声デコード処理の少なくとも１つの処理開始を指示するホストとを含む電子機器に関係する。
【００３６】
また本発明は、
チューナと、
前記チューナからのトランスポートストリームが供給される上記のいずれか記載の情報再生装置と、
前記情報再生装置に対し、前記映像デコード処理及び前記音声デコード処理の少なくとも１つの処理開始を指示するホストとを含む電子機器に関係する。
【００３７】
上記のいずれかの発明によれば、処理負荷の重い１セグメント放送の再生処理を低消費電力で、効率的なエラー処理を実現できる電子機器を提供できる。
【発明を実施するための最良の形態】
【００３８】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３９】
１．  デコード装置
図１に、本実施形態におけるデコード装置の構成例のブロック図を示す。なおデコード装置は、図１の構成に限定されず、その構成要素の一部を省略したり、他の構成要素を追加したりするなどの種々の変形実施が可能である。
【００４０】
本実施形態におけるデコード装置１０には、デジタルチューナ（広義にはチューナ）６０からのトランスポートストリーム（Transport Stream：以下、ＴＳ）が入力される。このＴＳは、ＴＳパケット（広義にはパケットデータ）が多重化されたストリームデータであり、例えばＭＰＥＧ−２システム（ISO/IEC 13818-1）で規定されている。そして、デコード装置１０は、このＴＳに対してデコード処理を行う。より具体的には、デコード装置１０は、ＴＳから抽出されるＴＳパケットに対してデコード処理を行う。デコード装置１０は出力部（例えば表示部、スピーカ）７０に接続される。そして、デコード処理後のデータは、例えば表示部（広義には出力部）に転送されて画像として表示されたり、或いはスピーカ（広義には出力部）に出力されて音声として出力されたりする。
【００４１】
１．１  タイムアウト
ところで、一般的には、デジタルチューナ側からその後段側にチューナのステータス（特に故障の発生状況を示すステータス）を通知する手段がない。そのため、デジタルチューナの不具合が発生した状況であっても、後段側では再生のためにデコード処理を進めなければならない。従って、電波の受信環境が劣悪であったりデジタルチューナ自体が故障したりした場合であっても、デジタルチューナの後段側で誤り訂正等の対策を行いながらデコード処理等を行っているのが現状である。この場合、例えばデジタルチューナの故障等でデコード処理が明らかに不可能な場合であっても、デコード処理等を繰り返し、無駄な電力を消費してしまうことになる。
【００４２】
そこで本実施形態では、以下のような構成を備えることで、デジタルチューナ側で電波の受信環境が劣悪なことに起因する受信劣化と、デジタルチューナ自体の故障に起因する受信劣化とを区別できるようになり、無駄な電力を消費することなくデコード処理を行うことができるようになる。
【００４３】
このようなデコード装置１０は、パケット監視部２０と、デコーダ３０とを含む。パケット監視部２０は、デジタルチューナ６０からのＴＳパケットが所与の期間（タイムアウト時間）入力されないタイムアウトの発生を監視する。デコーダ３０は、デジタルチューナ６０から受信したＴＳパケットに対してデコード処理（例えばＨ．２６４／ＡＶＣに準拠したデコード処理）を行い、デコード処理後のデータを出力部７０に出力する。そして、パケット監視部２０が、タイムアウトの発生を検出したことをデコーダ３０に通知し、デコーダ３０が、パケット監視部２０からタイムアウトの発生が検出されたことを通知されたとき、デジタルチューナ６０を停止させる制御（指示）を行う。より具体的には、デジタルチューナ６０は、ホスト８０によりイネーブル制御が行われ、このホスト８０に対して、デコーダ３０がデジタルチューナ６０を停止させるコマンドを発行する。
【００４４】
ここで、パケット監視部２０が、デコーダ３０により設定されたインターバル値に対応した期間をカウントするカウンタ２２を含むことができる。カウンタ２２は、所与の基準クロックに同期してカウント値をカウントアップし、インターバル値に対応した期間が経過したときにデコーダ３０に対して割り込みを発生させる。カウンタ２２のカウント値は、デジタルチューナ６０からのＴＳパケットが入力されるごとに初期化される。こうすることで、カウンタ２２は、インターバル値に対応した期間だけＴＳパケットの入力がないときに、デコーダ３０に対して割り込みを発生させることができるようになる。
【００４５】
図２に、パケット監視部２０の動作例のフロー図を示す。
【００４６】
まず、パケット監視部２０は、デコーダ３０からタイムアウト時間に対応したインターバル値に対応した時刻設定があるか否かを監視する（ステップＳ１０）。デコーダ３０は、例えば直前に設定された時刻を基準にタイムアウト時間が経過した後の時刻を設定することができる。その後、カウンタ２２のカウント値が初期化され（ステップＳ１１）、カウントが開始される（ステップＳ１２）。これにより、パケット監視部２０では、基準クロックに同期して計時が開始される。
【００４７】
そして、ステップＳ１０で設定された時刻が経過したか否かが判別され、経過したときはタイムアウト時間に達したと判断される（ステップＳ１３）。タイムアウト時間に達せず（ステップＳ１３：Ｎ）、且つデジタルチューナ６０からのＴＳパケットの入力がないとき（ステップＳ１４：Ｎ）、ステップＳ１３に戻る。一方、タイムアウト時間に達せず（ステップＳ１３：Ｎ）、且つデジタルチューナ６０からのＴＳパケットの入力があるとき（ステップＳ１４：Ｙ）、ステップＳ１１に戻る。これにより、インターバル値に対応した期間だけデジタルチューナ６０からのＴＳパケットの入力がないことを条件に割り込みを発生させることができる。
【００４８】
ステップＳ１３において、タイムアウト時間に達したとき（ステップＳ１３：Ｙ）、パケット監視部２０の例えばエラー検出部２４が、タイムアウトの発生を示すエラー情報を生成し（ステップＳ１５）、デコーダ３０に対して割り込みを発生させて（ステップＳ１６）、一連の処理を終了する（エンド）。
【００４９】
なお、ステップＳ１５で生成されたエラー情報は、他のエラー要因の発生の有無も示す情報として、例えば当該ＴＳパケットに関連付けられてバッファリングされた後にデコーダ３０によって読み出されるようになっている。
【００５０】
図３に、図１においてデジタルチューナ６０からのＴＳパケットのタイムアウトを検出するシーケンスの一例を示す。
【００５１】
まず、ホスト８０がデジタルチューナ６０のイネーブル制御を行い（Ｔ１０）、例えばデジタルチューナ６０の電源をオンさせる（Ｔ１１）。
【００５２】
その後、デジタルチューナ６０からＴＳパケットがデコード装置１０に対して入力される（Ｔ１２）。デジタルチューナ６０からのＴＳパケットを受信するのに先立って、デコード装置１０は、パケット監視部２０においてパケットの監視処理を開始している（Ｔ１３）。そして、パケット監視部２０には、デコーダ３０からタイムアウト時間に対応するインターバル値が設定され（Ｔ１４）、パケット監視部２０のカウンタ２２が、所与の基準クロックに同期してカウント値をカウントアップし、カウント値とインターバル値とが一致したときにデコーダ３０に対して割り込みを発生させる。このとき、デコード装置１０にデジタルチューナ６０からＴＳパケットが入力されたときに、カウンタ２２のカウント値が初期化される。
【００５３】
従って、デジタルチューナ６０からＴＳパケットが入力されるときには、該ＴＳパケットがバッファ４０に格納され（Ｔ１５）、デコーダ３０がバッファ４０から適宜ＴＳパケットを読み出して、ＴＳヘッダを解析してＰＥＳパケットを生成し、該ＰＥＳパケットのＰＥＳヘッダを解析して、ＰＥＳヘッダを削除後のＥＳ（Elementary Stream）データを生成する（Ｔ１６）。
【００５４】
そして、上述のようにタイムアウト時間だけデジタルチューナ６０からＴＳパケットの入力がないことが検出されたとき、タイムアウト検出（Ｔ１７）結果としてデコーダ３０に対する割り込みを発生させる（Ｔ１８）。これを受けたデコーダ３０は、ホスト８０に対してコマンドを発行し（Ｔ１９）、ホスト８０がデジタルチューナ６０のディセーブル制御を行って（Ｔ２０）、例えばデジタルチューナ６０の電源をオフさせ（Ｔ２１）、チューナの動作を停止させる（Ｔ２１）。
【００５５】
１．２  致命的エラーと軽微なエラー
更に、本実施形態では、デコーダ３０がＴＳパケットをＰＥＳ（Packet Elementary Stream）パケットに組み立て直した後に、該ＰＥＳパケットの中からＥＳ（Elementary Stream）データが取り出されて同期再生処理に供される。この場合、ＴＳパケットからＥＳデータを分離してしまうと、両者の関連性が全くなくなり、ＴＳパケットでエラーを検出した場合、ＥＳデータにおいてエラーの発生箇所を特定することが困難なため、後段側ではデコード処理を直ぐに停止させざるを得なくなる。従って、正しいデータであるにもかかわらず、デコード処理を停止させてしまうこともある。
【００５６】
このため、本実施形態では、上述のようにエラー検出及びエラー解析を行い、解析されたエラーの種類に応じて、「エラーなし」、「軽微なエラー発生」、「致命的なエラー発生」のいずれかを判別し、判別した区分に応じたデコード処理を行う。こうすることで、エラーを検出した場合に、後段側ではデコード処理を直ぐに停止させることなく、正しいデータに対するデコード処理を継続させることができる。
【００５７】
そこで、図１のデコード装置１０は、更に、バッファ４０と、エラー検出部２４と、エラー解析部５０とを含むことができる。バッファ４０には、ＴＳパケットが格納される。エラー検出部２４は、入力されたＴＳパケットのエラーを検出してエラー情報を生成し、該エラー情報を該ＴＳパケットに関連付けてＴＳパケットと共にバッファ４０に格納する。パケット監視部２０は、このエラー検出部２４を含むことができる。エラー解析部５０は、バッファ４０に格納されたＴＳパケットのエラー情報に基づいて、第１又は第２のエラーが発生したか否かを判別する。ここで、第１のエラーは致命的エラーとし、第２のエラーは軽微なエラーとすることができる。
【００５８】
そして、デコーダ３０は、エラー解析部５０によって判別された第１又は第２のエラーに応じて当該ＴＳパケットに対してデコード処理を行う。例えばデコーダ３０は、第１のエラーの発生が検出された場合にはデコード処理を中止してＩＤＲ（Instantaneous Decoding Refresh）ピクチャの検索を行い、第２のエラーの発生が検出された場合には、当該スライスをスキップする処理を行い次のスライスのデータに対してデコード処理を行う。ここで、スライスは符号化の基本単位であり、例えばピクチャ内にＩスライス、Ｐスライス、Ｂスライスを混在させることができる。
【００５９】
エラー検出部２４は、固定長のＴＳパケット（広義にはパケットデータ）のエラーを検出し、該ＴＳパケットのエラーの有無を示すエラー情報をＴＳパケットに付加し、エラー情報を付加したパケットを、バッファ４０に格納する。即ち、バッファ４０には、デジタルチューナ６０からのＴＳパケットのみがバッファリングされるのではなく、ＴＳパケットと該ＴＳパケットのエラー情報とがバッファリングされる。
【００６０】
そして、デコーダ３０が、バッファ４０からエラー情報及びＴＳパケットを読み出すと共に、該エラー情報に基づいてデコード処理を行うことができる。このとき、上述のようにエラー解析部５０の解析結果に対応したデコード処理を行うことができる。
【００６１】
パケット監視部２０は、ＴＳから複数種類のＴＳパケットを分離し、分離したＴＳパケットを、バッファ４０に予めＴＳパケットの種類毎に割り当てられた記憶領域に格納することができる。バッファ４０には、番組情報としてのＰＭＴ（Program Map Table）を設定するためのＴＳパケット、ネットワーク情報としてのＮＩＴ（Network Information Table)を設定するためのＴＳパケット、文字／字幕情報を表示するためのＴＳパケット、ＢＭＬ（Broadcast Markup Language）を表示するためのＴＳパケット、ＰＳＩ／ＳＩ（Program Specific Information/Service Information）を設定するためのＴＳパケット、画像を表示するための映像用ＴＳパケット、音声を出力するための音声用ＴＳパケットが、各記憶領域に格納される。
【００６２】
ホスト８０は、バッファ４０から読み出したＴＳパケットに基づいて、ＰＭＴ、ＮＩＴ、文字／字幕情報、ＢＭＬ、ＰＳＩ／ＳＩを解析する。例えばホスト８０は、ＰＭＴを解析して、映像用ＴＳパケットや音声用ＴＳパケットのパケット識別子（Packet Identifier：ＰＩＤ）を解析し、ホスト８０はパケット監視部２０にＰＩＤを通知する。これを受けたパケット監視部２０の図示しないパケット分離手段は、ホスト８０によって設定されたＰＩＤを参照して、デジタルチューナ６０からのＴＳから、上述のように各ＴＳパケットを分離する処理を行う。このとき、ホスト８０は、バッファ４０の各記憶領域に格納されたＴＳパケットに付加されたエラー情報を参照することで、所定のエラー処理を行うことができる。
【００６３】
デコーダ３０は、バッファ４０に格納された映像用ＴＳパケット及び音声用ＴＳパケットの少なくとも１つを読み出して、ＴＳヘッダを解析してＰＥＳ（Packet Elementary Stream）パケットを生成し、該ＰＥＳパケットのＰＥＳヘッダを解析して、ＰＥＳヘッダを削除後のＥＳ（Elementary Stream）データを生成することができる。このＥＳデータは、バッファ４０に書き戻されるようにしてもよい。このとき、デコーダ３０は、バッファ４０から読み出した映像用ＴＳパケット又は音声用ＴＳパケットに付加されたエラー情報を参照することで、所定のエラー処理を行うことができる。
【００６４】
デコーダ３０は、バッファ４０からＥＳデータを読み出し、該ＥＳデータに対してデコード処理を行う。
【００６５】
なお、図１において、デコード装置１０の外部にホスト８０及びデジタルチューナ６０が設けられているが、ホスト８０及びデジタルチューナ６０の少なくとも１つをデコード装置１０の内部に設けてもよい。或いは、図１において、パケット監視部２０、デコーダ３０及びバッファ４０の少なくとも１つを、デコード装置１０の外部に設けてもよい。
【００６６】
図４に、本実施形態においてＴＳパケットに付加されるエラー情報の説明図を示す。
【００６７】
パケット監視部２０は、上述のようにＴＳパケットの入力の有無を監視するタイムアウト検出処理を行うと共に、デジタルチューナ６０からのＴＳが入力されたときには該ＴＳからＴＳパケットを分離することができる。パケット監視部２０によって分離されるＴＳパケットは、１８８バイト長を有する固定長パケットである。エラー検出部２４は、予め決められた種類のエラーの検出処理をＴＳパケットに対して行い、その検出処理結果を４バイト長のエラー情報として生成する。パケット監視部２０は、４バイトのエラー情報をエラーの検出処理対象の１８８バイトのＴＳパケットに付加した１９２バイト長のパケットデータを、バッファ４０に格納する処理を行う。
【００６８】
図５に、図４のエラー情報の詳細な説明図を示す。
【００６９】
本実施形態におけるエラー情報は、４バイト（＝３２ビット）のうち予め決められたビットに、エラー検出処理結果としてエラーの有無を示すエラーステータスが設定される。図５においては、第２９ビット〜第２４ビット、第１９ビット〜第１６ビットにエラーステータスが設定される。
【００７０】
図６に、図５のエラーステータスの内容の一例の説明図を示す。
【００７１】
エラー情報の第１６ビットには、ＰＭＴのtable_idエラーの有無を示すエラーステータスが設定される。より具体的には、第１６ビットには、ＴＳパケットがＰＭＴパケットの場合に、ＰＭＴパケットのデータ構造で規定されるtable_idが０ｘ０２（「０ｘ」は１６進数を示す）でないときに、table_idエラーが発生したと判断されて「１」が設定される。
【００７２】
エラー情報の第１７ビットには、ＰＭＴのsection_syntax_indicatorエラーの有無を示すエラーステータスが設定される。より具体的には、第１７ビットには、ＴＳパケットがＰＭＴパケットの場合に、ＰＭＴパケットのデータ構造で規定されるsection_syntax_indicatorが０ｘ０１でないときに、section_syntax_indicatorエラーが発生したと判断されて「１」が設定される。
【００７３】
エラー情報の第１８ビットには、ＰＭＴのcurrent_next_indicatorエラーの有無を示すエラーステータスが設定される。より具体的には、第１８ビットには、ＴＳパケットがＰＭＴパケットの場合に、ＰＭＴパケットのデータ構造で規定されるcurrent_next_indicatorが０ｘ０１でないときに、current_next_indicatorエラーが発生したと判断されて「１」が設定される。
【００７４】
エラー情報の第１９ビットには、ＰＭＴのsection_numberエラーの有無を示すエラーステータスが設定される。より具体的には、第１９ビットには、ＴＳパケットがＰＭＴパケットの場合に、ＰＭＴパケットのデータ構造で規定されるsection_numberが０ｘ００でないときに、section_numberエラーが発生したと判断されて「１」が設定される。
【００７５】
エラー情報の第２４ビットには、チューナエラーの有無を示すエラーステータスが設定される。より具体的には、第２４ビットには、デジタルチューナ６０からのＲＳ（Read Solomon）符号エラーのときに、チューナエラーが発生したと判断されて「１」が設定される。ＲＳ符号エラーは、例えばＲＳ符号による誤り訂正が不可能なときに発生する。
【００７６】
エラー情報の第２５ビットには、同期バイト不一致エラーの有無を示すエラーステータスが設定される。より具体的には、第２５ビットには、ＴＳパケットの同期バイトが、予め決められた同期バイトと異なるときに、同期バイト不一致エラーが発生したと判断されて「１」が設定される。
【００７７】
エラー情報の第２６ビットには、巡回冗長検査（Cyclic Redundancy Check：以下、ＣＲＣ）エラーの有無を示すエラーステータスが設定される。より具体的には、第２６ビットには、ＴＳパケットがＰＭＴパケットの場合に、ＣＲＣエラーが検出されたときに、ＣＲＣエラーが発生したと判断されて「１」が設定される。
【００７８】
エラー情報の第２７ビットには、ＴＳパケットサイズ不足の有無を示すエラーステータスが設定される。より具体的には、第２７ビットには、ＴＳパケットのサイズが１８８バイト未満のときに、ＴＳパケットサイズ不足が発生したと判断されて「１」が設定される。
【００７９】
エラー情報の第２８ビットには、ＴＳパケットサイズオーバーの有無を示すエラーステータスが設定される。より具体的には、第２８ビットには、ＴＳパケットのサイズが１８９バイト以上のときに、ＴＳパケットサイズオーバーが発生したと判断されて「１」が設定される。
【００８０】
エラー情報の第２９ビットには、パケット監視部２０のバッファ４０への書き込み要求中に、バッファ４０に別の書き込み要求が発生したか否かを示すエラーステータスが設定される。即ち、パケット監視部２０が、パケットデータをバッファ４０に書き込むための書き込み要求中に該バッファ４０への別の書き込み要求が発生したことを示すエラー情報をパケットデータに付加するということができる。パケット監視部２０がＴＳパケット及びエラー情報をバッファ４０に書き込みを行っている最中に、例えばデコーダ３０がバッファ４０に対して書き込み要求を行ったときに、「１」が設定される。これは、次々到来するＴＳを処理する場合に、各部の処理が追いつかずに、２つの書き込み要求を受けたバッファ４０への書き込みデータが完全なものであることを保証できないことを示し、ＴＳパケットのデコード処理を継続するか否かの判断は後段に任せるためにエラーステータスが「１」に設定される。
【００８１】
例えば第１６ビット、第１７ビット、第１８ビット、及び第１９ビットのうち少なくとも１つが「１」の場合、当該エラーステータスを含むエラー情報が付加されたＴＳパケットを廃棄することが望ましい。これは、ＰＭＴを解析するホスト８０によって、パケット監視部２０で分離されるＴＳパケットが決定されるため、ＰＭＴの内容が不完全な場合にまで敢えてＰＭＴを解析する必要はなく、ＴＳパケットを廃棄して次に到来するＰＭＴを待つ方が、正常なＴＳパケットで再生できる可能性が高くなり、制御の簡素化を図ることができるからである。
【００８２】
なお、図６に示すすべてのエラーステータスを検出する必要はなく、ＰＭＴのデータ構造におけるtable_id、section_syntax_indicator、current_next_indicator、section_numberのうち少なくとも１つのエラーを検出し、エラーの有無を示すエラー情報を該パケットデータに付加してもよい。
【００８３】
ところで、パケット監視部２０において生成されるエラー情報は、該エラー情報が付加されるパケットデータに先立って読み出されるようにバッファ４０の記憶領域に格納されることが望ましい。
【００８４】
図７に、本実施形態におけるエラー情報及びＴＳパケットのバッファ４０の格納状況の説明図を示す。
【００８５】
バッファ４０にアドレス値が割り振られており、該アドレス値によってＴＳパケットが格納される各記憶領域が特定されるようになっている。ここで、例えばデコーダ３０が、アドレス値の小さい記憶領域からアドレス値の大きい記憶領域まで順番にＴＳパケット及びエラー情報を読み出すものとする。
【００８６】
このとき本実施形態におけるエラー情報をアドレス値の小さい０番地の記憶領域に格納し、該エラー情報を付加するＴＳパケットをアドレス値の大きい１番地〜４７番地の記憶領域に格納することが望ましい。このように、ＴＳパケット毎に、該ＴＳパケットの記憶領域よりもアドレス値の記憶領域にエラー情報を格納することで、例えばデコーダ３０又はホスト８０は、まずエラー情報を読み出してエラーの判別をすればよい。例えばＴＳパケットを廃棄することを決定した場合、その後のアドレス値の大きい記憶領域に格納されるＴＳパケットを読み出すことなく、次のＴＳパケットのエラー情報を読み出す処理を行えばよい。
【００８７】
図８に、本実施形態におけるエラー情報の付加のタイミングの一例を示す。
【００８８】
デジタルチューナ６０からは２０４バイトの伝送ＴＳＰ（Transport Stream Packet）がデコード装置１０に入力される。伝送ＴＳＰは、１８８バイト長のＴＳパケットと１６バイト長のＲＳ符号のパリティビットとが多重化されたストリームデータである。
【００８９】
例えば時刻ＴＧ１に、デコード装置１０に伝送ＴＳＰが入力されたとき、パケット監視部２０のエラー検出部２４が、エラー検出処理を開始する。また、パケット監視部２０は、ホスト８０によって設定されたＰＩＤに対応したＴＳパケットを分離する処理を開始し、時刻ＴＧ２以降、分離したＴＳパケットをバッファ４０に格納する処理を行う。
【００９０】
そして、次の伝送ＴＳが時刻ＴＧ１０に入力されたとき、時刻ＴＧ１に開始したエラー検出処理結果であるエラー情報を、図７に示したように、ＴＳパケットより読み出し順序が先になるようにバッファ４０に格納する。即ち、時刻ＴＧ１０で開始される分離処理の結果得られたパケットデータをバッファ４０に書き込むのに先立って、直前のパケットデータに付加されるエラー情報をバッファ４０に書き込む。こうすることで、図６に示すＴＳパケットサイズ不足を容易に検出し、且つ処理の遅延なく、次々と到来する伝送ＴＳＰに対するエラー情報の付加処理を継続できる。
【００９１】
これ以降、同様にＴＳパケット及びエラー情報の格納処理が行われる。このとき、バッファ４０には、ＰＭＴを設定するためのＴＳパケット、ＮＩＴを設定するためのＴＳパケット、文字／字幕情報を表示するためのＴＳパケット、ＢＭＬを表示するためのＴＳパケット、ＰＳＩ／ＳＩを設定するためのＴＳパケット、映像用ＴＳパケット、音声用ＴＳパケットが、各記憶領域に格納される。
【００９２】
次に、このように検出されたエラー情報に基づいて、致命的なエラー又は軽微なエラーに対応する第１又は第２のエラーを判別するエラー解析部５０の処理例について説明する。
【００９３】
図９に、エラー解析部５０の処理例のフロー図を示す。
【００９４】
エラー解析部５０は、図示しないＣＰＵを含み、図示しないメモリに格納されたプログラムを読み出し、該プログラムに対応した処理を実行することで図９に示す処理を行うことができるようになっている。
【００９５】
まず、エラー解析部５０は、バッファ４０に格納されたエラー情報から図５に示すエラーステータスを取得する（ステップＳ２０）。そして、エラー解析部５０は、取得したエラーステータスを解析する。
【００９６】
即ち、ステップＳ２０において取得されたエラーステータスの第２７ビットのデータに基づいて、ＴＳパケットサイズ不足か否かを判別する（ステップＳ２１）。ステップＳ２１において、ＴＳパケットサイズ不足であると判別されたとき（ステップＳ２１：Ｙ）、エラー解析部５０は、当該ＴＳパケットに致命的エラーが発生したことを示すエラー発生情報を生成する（ステップＳ２２）。
【００９７】
ステップＳ２１において、ＴＳパケットサイズ不足ではないと判別されたとき（ステップＳ２１：Ｎ）、エラー解析部５０は、エラーステータスの第２８ビットのデータに基づいて、ＴＳパケットサイズオーバーか否かを判別する（ステップＳ２３）。ステップＳ２３において、ＴＳパケットサイズオーバーであると判別されたとき（ステップＳ２３：Ｙ）、エラー解析部５０は、当該ＴＳパケットに致命的エラーが発生したことを示すエラー発生情報を生成する（ステップＳ２２）。
【００９８】
ステップＳ２３において、ＴＳパケットサイズオーバーではないと判別されたとき（ステップＳ２３：Ｎ）、エラー解析部５０は、エラーステータスの第２９ビットのデータに基づいて、バッファ４０への書き込み要求中に書き込みが発生したか否かを判別する（ステップＳ２４）。ステップＳ２４において、バッファ４０への書き込み要求中に書き込みが発生したと判別されたとき（ステップＳ２４：Ｙ）、エラー解析部５０は、当該ＴＳパケットに致命的エラーが発生したことを示すエラー発生情報を生成する（ステップＳ２２）。
【００９９】
ステップＳ２４において、バッファ４０への書き込み要求中に書き込みが発生していないと判別されたとき（ステップＳ２４：Ｎ）、エラー解析部５０は、エラーステータスの第２４ビットのデータに基づいて、チューナーエラーとしてのＲＳ符号エラーであるか否かを判別する（ステップＳ２５）。ステップＳ２５において、ＲＳ符号エラーであると判別されたとき（ステップＳ２５：Ｙ）、エラー解析部５０は、ＲＳ符号エラーが発生した連続パケット数を示すエラーカウントが予め決められた閾値を超えたか否かを判別する（ステップＳ２６）。
【０１００】
ステップＳ２６において、エラーカウントが閾値を超えたと判別されたとき（ステップＳ２６：Ｙ）、当該ＴＳパケットに致命的エラーが発生したことを示すエラー発生情報を生成する（ステップＳ２２）。一方、ステップＳ２６において、エラーカウントが閾値を超えていないと判別されたとき（ステップＳ２６：Ｎ）、エラーカウントをインクリメントし（ステップＳ２７）、当該ＴＳパケットに軽微なエラーが発生したことを示すエラー発生情報を生成する（ステップＳ２８）。
【０１０１】
図１０（Ａ）〜図１０（Ｃ）に、ＲＳ符号エラーに基づくエラー発生情報の説明図を示す。ここでは、ステップＳ２６における閾値が３であるものとする。
【０１０２】
図１０（Ａ）は、ＴＳパケットに付加されるエラー情報内のＲＳ符号エラーの発生の有無を示すエラーステータスを示す。エラー解析部５０は、図１０（Ａ）のエラーステータスを監視する。そしてエラー解析部５０は、エラーステータスの所定のビットをカウントすることで、パケット毎にエラー情報をカウントしたカウント結果としてエラーカウントを得ることができる。より具体的には、エラー解析部５０は、ＲＳ符号エラーが連続して発生したパケット数を示すエラーカウントを得る。このエラーカウントは、ＲＳ符号エラーが発生していないＴＳパケットが入力されたときに初期化される。
【０１０３】
このようなエラーカウントが閾値「３」を超えているときに、致命的なエラーの発生と判別し、閾値「３」を超えていないときに軽微なエラーの発生と判別する。
【０１０４】
即ち、エラー解析部５０は、パケット毎にエラー情報をカウントしたカウント結果に基づいて致命的なエラー又は軽微なエラーの発生を判別することができる。そして、パケット毎にエラー情報を監視し、所与の閾値を超えたパケット数分連続してエラーが発生したとき致命的なエラーの発生を検出し、閾値以下のパケット数分連続してエラーが発生したとき軽微なエラーの発生を検出することができる。
【０１０５】
例えば図１０（Ａ）では、６パケット連続してＲＳ符号エラーが発生しているため、エラー解析部５０は、致命的なエラーの発生と判断しエラー発生情報を生成する。また例えば図１０（Ｂ）では、２パケット連続してＲＳ符号エラーが発生しているため、エラー解析部５０は、軽微なエラーの発生と判断しエラー発生情報を生成する。このようなエラー発生情報は、例えばパケット単位で生成される。
【０１０６】
図９に戻って説明を続ける。
【０１０７】
ステップＳ２５において、ＲＳ符号エラーが発生していないと判別されたとき（ステップＳ２５：Ｎ）、エラー解析部５０は、エラーステータスの第２５ビットのデータに基づいて、同期バイトの不一致が発生したか否かを判別する（ステップＳ２９）。ステップＳ２９において、同期バイトの不一致が発生したと判別されたとき（ステップＳ２９：Ｙ）、他にエラー要因があれば（ステップＳ３０：Ｎ）、エラー解析部５０は、当該ＴＳパケットに致命的エラーが発生したことを示すエラー発生情報を生成する（ステップＳ２２）。
【０１０８】
ステップＳ２９において同期バイトの不一致が発生していないと判別されたとき（ステップＳ２９：Ｎ）、或いはステップＳ３０において他にエラー要因が無いとき（ステップＳ３０：Ｙ）、例えばパケット監視部２０がＰＥＳヘッダを削除する処理を行い、次のパケットがあるとき（ステップＳ３１：Ｙ）、ステップＳ２０に戻る。ステップＳ３１において、次のパケットがないとき（ステップＳ３１：Ｎ）、一連の処理を終了する（エンド）。
【０１０９】
ステップＳ２２、ステップＳ２８に続く処理も同様に、次のパケットがあるとき（ステップＳ３１：Ｙ）、ステップＳ２０に戻る。ステップＳ３１において、次のパケットがないとき（ステップＳ３１：Ｎ）、一連の処理を終了する（エンド）。
【０１１０】
以上のようにエラー解析部５０によってエラーステータスが解析されて生成されたエラー発生情報は、デコーダ３０により参照される。
【０１１１】
図１１に、デコーダ３０の処理例のフロー図を示す。
【０１１２】
デコーダ３０は、図示しないＣＰＵを含み、図示しないメモリに格納されたプログラムを読み出し、該プログラムに対応した処理を実行することで図１１に示す処理を行うことができるようになっている。
【０１１３】
まず、デコーダ３０は、エラー解析部５０によって生成されたエラー発生情報を取得する（ステップＳ４０）。そして、エラー発生情報に基づいて致命的なエラーが発生していることが検出されたとき（ステップＳ４１：Ｙ）、パケット監視部２０のカウンタ２２に対するタイムアウト時間の設定制御を停止する（ステップＳ４２）。その後、デコーダ３０は、カウンタ２２の初期化処理（ステップＳ４２）、ＩＤＲピクチャの検索処理（ステップＳ４４）を行い、一連の処理を終了する（エンド）。
【０１１４】
一方、ステップＳ４１において、エラー発生情報に基づいて致命的なエラーの発生が検出されなかったとき（ステップＳ４１：Ｎ）、デコーダ３０は、エラー発生情報に基づいて軽微なエラーが発生したか否かを判別する（ステップＳ４５）。そして、エラー発生情報に基づいて軽微なエラーが発生したことが検出されたとき（ステップＳ４５：Ｙ）、次のＮＡＬ（Network Abstraction Layer）ユニットにスキップする処理を行い（ステップＳ４６）、一連の処理を終了する（エンド）。
【０１１５】
ステップＳ４５において、エラー発生情報に基づいて軽微なエラーが発生しなかったことが検出されたとき（ステップＳ４５：Ｎ）、一連の処理を終了する（エンド）。
【０１１６】
以上のように、デコーダ３０は、エラー解析部５０によって判別された致命的なエラーか軽微なエラーかに応じて当該ＴＳパケットに対応したデコード処理を行うことができる。従って、正しいデータであるにもかかわらず、デコード処理を停止させてしまうこともなくなり、正しくデコードできる可能性があるにもかかわらずデコード処理を停止させてしまうケースをなくすことができるようになる。
【０１１７】
２．  情報再生装置
次に、本実施形態における上述のデコード装置が適用される情報再生装置について説明する。本実施形態における情報再生装置は、地上デジタル放送の再生を行うことができる。
【０１１８】
２．１  １セグメント放送の概要
地上アナログ放送に代わって登場する地上デジタル放送では、画像及び音声の高品質化に加えて種々の新サービスの提供に期待が寄せられている。
【０１１９】
図１２に、地上デジタル放送のセグメントの概念の説明図を示す。
【０１２０】
地上デジタル放送では、予め割り当てられた周波数帯域を１４個のセグメントに分割し、そのうちの１３個のセグメントＳＥＧ１〜ＳＥＧ１３を使って放送が行われる。残り１個のセグメントは、ガードバンドとして用いられる。そして、放送を行うための１３個のセグメントのうちの１個のセグメントＳＥＧｍが、携帯端末向けの放送の周波数帯域に割り当てられる。
【０１２１】
１セグメント放送では、それぞれが符号化（圧縮処理）された映像データ、音声データ、その他のデータ（制御データ）が多重化されたトランスポートストリーム（Transport Stream：ＴＳ）が伝送される。より具体的には、ＴＳの各パケットにリードソロモン符号の誤り訂正用符号が付加された後、階層分割され、各階層において畳み込み符号化やキャリア変調が施される。そして、階層合成後に、周波数インターリーブ、時間インターリーブが行われ、受信側に必要なパイロット信号を付加してＯＦＤＭセグメントフレームが形成される。このＯＦＤＭセグメントフレームに対し、逆フーリエ変換演算が施されてＯＦＤＭ信号として伝送される。
【０１２２】
図１３に、ＴＳの説明図を示す。
【０１２３】
ＴＳは、図１３に示すように複数のＴＳパケット列で構成されている。各ＴＳパケットの長さは、１８８バイトに固定されている。各ＴＳパケットは、４バイトのＴＳヘッダ（TS Header：ＴＳＨ）と呼ばれるヘッダ情報が付加されており、ＴＳパケットの識別子となるＰＩＤ（Packet Identifier）を含む。１セグメント放送の番組は、ＰＩＤにより特定される。
【０１２４】
ＴＳパケットは、アダプテーションフィールドを含み、映像データ、音声データ等の同期再生の基準となる時刻情報であるＰＣＲ（Program Clock Reference）やダミーデータが埋め込まれる。ペイロードは、ＰＥＳ（Packetized Elementary Stream）パケットやセクションを生成するためのデータを含む。
【０１２５】
図１４に、ＰＥＳパケット及びセクションの説明図を示す。
【０１２６】
ＰＥＳパケット及びセクションのそれぞれは、１又は複数のＴＳパケットの各ＴＳパケットのペイロードにより構成される。ＰＥＳパケットは、ＰＥＳヘッダとペイロードとを含み、該ペイロードには、映像データ、音声データ又は字幕データがＥＳ（Elementary Stream）データとして設定される。セクションには、ＰＥＳパケットに設定される映像データ等の番組情報等が設定される。
【０１２７】
従って、ＴＳを受信すると、まずセクションに含まれる番組情報を解析し、放送される番組に対応するＰＩＤを特定する必要がある。そして、該ＰＩＤに対応する映像データ、音声データをＴＳから抽出し、抽出後の映像データ、音声データを再生することになる。
【０１２８】
２．２  携帯端末
１セグメント放送の受信機能を有する携帯端末では、上記のようなパケットの解析等の処理が必要となる。即ち、このような携帯端末では、高い処理能力が要求される。そのため、携帯端末（広義には電子機器）としての従来の携帯電話機に、１セグメント放送の受信機能を付加する場合には、高い処理能力を有するプロセッサ等を更に追加する必要がある。
【０１２９】
図１５に、本実施形態の比較例におけるマルチメディア処理ＣＰＵを含む携帯電話機の構成例のブロック図を示す。
【０１３０】
この携帯電話機９００では、アンテナ９１０を介して受信された受信信号を復調して電話用ＣＰＵ９２０が着呼処理を行い、電話用ＣＰＵ９２０が発呼処理を行った信号が変調されてアンテナ９１０を介して送信される。電話用ＣＰＵ９２０は、メモリ９２２に格納されたプログラムを読み込んで着呼処理及び発呼処理を行うことができる。
【０１３１】
またアンテナ９３０を介して受信された受信信号から、チューナ９４０を介して希望信号が取り出されると、該希望信号をＯＦＤＭ信号として上記と逆の手順でＴＳが生成される。マルチメディア処理ＣＰＵ９５０は、生成されたＴＳからＴＳパケットを解析してＰＥＳパケット及びセクションを判別し、所望の番組のＴＳパケットから映像データ、音声データのデコード処理を行う。マルチメディア処理ＣＰＵ９５０は、メモリ９５２に格納されたプログラムを読み込んで上記のパケットの解析処理やデコード処理を行うことができる。表示パネル９６０は、デコード処理後の映像データに基づいて表示出力を行い、スピーカ９７０は、デコード処理後の音声データに基づいて音声出力を行う。
【０１３２】
このようにマルチメディア処理ＣＰＵ９５０として、非常に高い処理能力が必要となる。高い処理能力を有するプロセッサは、一般的に、動作周波数が高くなったり、回路規模が大きくなったりしてしまう。
【０１３３】
ところで、１セグメント放送のビットレートを考慮すると、その帯域のほとんどが映像データや音声データの帯域となり、データ放送自体の帯域が狭くなると考えられる。従って、マルチメディア処理ＣＰＵで実現できる処理のうち、映像データや音声データの再生処理のみで済む場合もあるにもかかわらず、マルチメディア処理ＣＰＵを常に動作させる必要があり、消費電力の増大を招く。
【０１３４】
そこで、本実施形態では、映像データのデコード処理を行う映像デコーダと音声データのデコード処理を行う音声デコーダとを独立して設け、それぞれ独立にデコード処理を行わせることで、それぞれの処理能力として低いものを採用できる。更に、映像デコーダ及び音声データの一方の動作を適宜停止させて柔軟に低消費電力化を図ることができる。
【０１３５】
更には、映像デコーダ及び音声デコーダを並列動作させることができるため、各デコーダの処理能力を低くて済み、より低消費電力化及び低コスト化を実現できる。
【０１３６】
図１６に、本実施形態における情報再生装置を含む携帯電話機の構成例のブロック図を示す。なお図１６において、図１５と同一部分には同一符号を付し、適宜説明を省略する。
【０１３７】
携帯電話機１００は、ホストＣＰＵ（広義にはホスト）１１０、ＲＡＭ（Random Access Memory）１２０、ＲＯＭ（Read Only Memory）１３０、表示ドライバ１４０、ＤＡＣ（Digital-to-Analog Converter）１５０、画像処理ＩＣ（Integrated Circuit)（広義には情報再生装置）２００を含むことができる。更に携帯電話機１００は、アンテナ９１０、９３０、チューナ９４０、表示パネル９６０、スピーカ９７０を含む。
【０１３８】
ホストＣＰＵ１１０は、図１５の電話用ＣＰＵ９２０の機能を有すると共に、画像処理ＩＣ２００を制御する機能を有する。ホストＣＰＵ１１０は、ＲＡＭ１２０又はＲＯＭ１３０に格納されたプログラムを読み出し、図１５の電話用ＣＰＵ９２０の処理、画像処理ＩＣ２００を制御する処理を行う。この際、ホストＣＰＵ１１０は、ＲＡＭ１２０をワークエリアとして用いることができる。
【０１３９】
画像処理ＩＣ２００は、チューナ９４０からのＴＳから、映像データを生成するための映像用ＴＳパケット（第１のＴＳパケット）、音声データを生成するための音声用ＴＳパケット（第２のＴＳパケット）を抽出し、図示しない共有メモリにバッファリングする。そして画像処理ＩＣ２００は、互いに独立して動作停止制御が可能な映像デコーダ及び音声デコーダ（図示せず）を含み、映像デコーダ及び音声デコーダが、それぞれ映像用ＴＳパケット及び音声用ＴＳパケットをデコードして映像データ及び音声データを生成する。映像データ及び音声データは、同期しながら、それぞれ表示ドライバ１４０及びＤＡＣ１５０に供給される。ホストＣＰＵ１１０は、このような画像処理ＩＣ２００に対し、映像デコード処理及び音声デコード処理の処理開始を指示することができる。なおホストＣＰＵ１１０は、画像処理ＩＣ２００に対し、映像デコード処理及び音声デコード処理の少なくとも１つの処理開始を指示するようにしてもよい。
【０１４０】
表示ドライバ（広義には駆動回路）１４０は、映像データに基づいて表示パネル（広義には電気光学装置）９６０を駆動する。より具体的には、表示パネル９６０は、複数の走査線、複数のデータ線、各画素が各走査線及び各データ線により特定される複数の画素を有し、表示パネル９６０として液晶表示（Liquid Crystal Display）パネルを採用できる。表示ドライバ１４０は、複数の走査線を走査する走査ドライバの機能と、該映像データに基づいて複数のデータ線を駆動するデータドライバの機能とを有する。
【０１４１】
ＤＡＣ１５０は、デジタル信号である音声データをアナログ信号に変換し、スピーカ９７０に供給する。スピーカ９７０は、ＤＡＣ１５０からのアナログ信号に対応した音声出力を行う。
【０１４２】
２．３  情報再生装置
図１７に、本実施形態の情報再生装置としての図１６の画像処理ＩＣ２００の構成例のブロック図を示す。
【０１４３】
画像処理ＩＣ２００は、ＴＳ分離部（分離処理部）２１０と、メモリ（共有メモリ）２２０と、映像デコーダ２３０と、音声デコーダ２４０とを含む。また画像処理ＩＣ２００は、更に、表示制御部２５０と、チューナＩ／Ｆ（Interface）２６０と、ホストＩ／Ｆ２７０と、ドライバＩ／Ｆ２８０と、オーディオＩ／Ｆ２９０とを含む。メモリ２２０は、図１のバッファ４０の機能を有する。
【０１４４】
ＴＳ分離部２１０は、映像データを生成するための映像用ＴＳパケット（第１のＴＳパケット）、音声データを生成するための音声用ＴＳパケット（第２のＴＳパケット）、映像用ＴＳパケット及び音声用ＴＳパケット以外のパケット（第３のＴＳパケット）を、ＴＳから抽出する。ＴＳ分離部２１０は、ＴＳから一旦抽出された第３のＴＳパケットを解析するホストＣＰＵ１１０の解析結果に基づいて、第１及び第２のＴＳパケットを抽出することができる。このＴＳ分離部２１０は、図１のパケット監視部２０の機能を有する。即ち、ＴＳ分離部２１０が、第１〜第３のＴＳパケットの各ＴＳパケットのエラーを検出し、エラーの有無を示すエラー情報を各ＴＳパケットに付加することができる。
【０１４５】
映像デコーダ２３０は、メモリ２２０の記憶領域のうち映像用ＴＳパケット専用に設けられた記憶領域から映像用ＴＳパケットを読み出し、該映像用ＴＳパケットに基づいて映像データを生成する映像デコード処理を行うと共に、映像データと音声データを同期して再生するための基準タイミングを生成する。
【０１４６】
音声デコーダ２４０は、メモリ２２０の記憶領域のうち音声用ＴＳパケット専用に設けられた記憶領域から音声用ＴＳパケットを読み出し、該音声用ＴＳパケットに基づいて音声データを生成する音声デコード処理を行う。
【０１４７】
映像デコーダ２３０及び音声デコーダ２４０の少なくとも一方は、図１のデコーダ３０及びエラー解析部５０の機能を有する。
【０１４８】
表示制御部２５０は、メモリ２２０から読み出された映像データにより表される画像の向きを回転させる回転処理や該画像のサイズを縮小又は拡大させるリサイズ処理を行う。回転処理後のデータやリサイズ処理後のデータは、ドライバＩ／Ｆ２８０に供給される。表示制御部２５０は、表示タイミングに合わせて、処理後のデータをドライバＩ／Ｆ２８０に転送する制御を行う。
【０１４９】
チューナＩ／Ｆ２６０は、チューナ９４０とのインタフェース処理を行う。より具体的には、チューナＩ／Ｆ２６０は、チューナ９４０からのＴＳを受信する制御を行う。チューナＩ／Ｆ２６０は、ＴＳ分離部２１０に接続される。チューナＩ／Ｆ２６０に接続されるチューナ９４０が、図１のデジタルチューナ６０に相当する。
【０１５０】
ホストＩ／Ｆ２７０は、ホストＣＰＵ１１０とのインタフェース処理を行う。より具体的には、ホストＩ／Ｆ２７０は、ホストＣＰＵ１１０との間のデータの送受信の制御を行う。ホストＩ／Ｆ２７０は、ＴＳ分離部２１０、メモリ２２０、表示制御部２５０、オーディオＩ／Ｆ２９０に接続される。ホストＩ／Ｆ２７０に接続されるホストＣＰＵ１１０が、図１のホスト８０の機能を実現する。
【０１５１】
ドライバＩ／Ｆ２８０は、表示制御部２５０を介してメモリ２２０から所定の周期で映像データを読み出し、該映像データを表示ドライバ１４０に対して供給する。ドライバＩ／Ｆ２８０は、表示ドライバ１４０に対して映像データを送信するためのインタフェース処理を行う。
【０１５２】
オーディオＩ／Ｆ２９０は、メモリ２２０から所定の周期で音声データを読み出し、該音声データをＤＡＣ１５０に対して供給する。オーディオＩ／Ｆ２９０は、ＤＡＣ１５０に対して音声データを送信するためのインタフェース処理を行う。
【０１５３】
図１７における表示ドライバやＤＡＣは、図１の出力部７０に含まれる。
【０１５４】
このような画像処理ＩＣ２００では、ＴＳ分離部２１０により、チューナ９４０からのＴＳからＴＳパケットが抽出される。ＴＳパケットは、共有メモリとしてのメモリ２２０の予め割り当てられた記憶領域に格納される。そして、映像デコーダ２３０及び音声デコーダ２４０が、それぞれメモリ２２０に割り当てられた専用の記憶領域からＴＳパケットを読み出して、映像データ及び音声データを生成し、互いに同期した映像データ及び音声データを表示ドライバ１４０及びＤＡＣ１５０に対して供給することができる。
【０１５５】
図１８に、図１７の画像処理ＩＣ２００の動作説明図を示す。
【０１５６】
図１８において、図１７と同一部分には同一符号を付し、適宜説明を省略する。
【０１５７】
メモリ２２０は、第１〜第８の記憶領域ＡＲ１〜ＡＲ８を有し、各記憶領域が予め割り当てられている。ＴＳ分離部２１０によって分離されたＴＳパケットと、該ＴＳパケットについてＴＳ分離部２１０で行われたエラー検出処理結果としてのエラー情報とが、各記憶領域に格納される。
【０１５８】
第１の記憶領域ＡＲ１には、映像用ＴＳパケット専用の記憶領域として、ＴＳ分離部２１０によって抽出された映像用ＴＳパケット（第１のＴＳパケット）が格納される。第２の記憶領域ＡＲ２には、音声用ＴＳパケット専用の記憶領域として、ＴＳ分離部２１０によって抽出された音声用ＴＳパケット（第２のＴＳパケット）が格納される。第３の記憶領域ＡＲ３には、ＴＳ分離部２１０によって抽出されたＴＳパケットのうち映像用ＴＳパケット及び音声用ＴＳパケットを除くＴＳパケット（第３のＴＳパケット）が格納される。
【０１５９】
第４の記憶領域ＡＲ４には、映像用ＥＳデータ専用の記憶領域として、映像デコーダ２３０によって生成された映像用ＥＳデータが格納される。第５の記憶領域ＡＲ５には、音声用ＥＳデータ専用の記憶領域として、音声デコーダ２４０によって生成された音声用ＥＳデータが格納される。
【０１６０】
第６の記憶領域ＡＲ６には、ホストＣＰＵ１１０によって生成されるＴＳが、ＴＳＲＡＷデータとして格納される。ＴＳＲＡＷデータは、チューナ９４０からのＴＳに替わってホストＣＰＵ１１０により設定される。そして、ＴＳ分離部２１０は、ＴＳＲＡＷデータとして設定されたＴＳから、映像用ＴＳパケット、音声用ＴＳパケット、その他のＴＳパケットが抽出されるようになっている。
【０１６１】
第７の記憶領域ＡＲ７には、映像デコーダ２３０によるデコード処理後の映像データが格納される。第７の記憶領域ＡＲ７に格納された映像データは、表示制御部２５０によって読み出され、表示パネル９６０による映像出力に供される。第８の記憶領域ＡＲ８には、音声デコーダ２４０によるデコード処理後の音声データが格納される。第８の記憶領域ＡＲ８に格納された音声データは、スピーカ９７０による音声出力に供される。
【０１６２】
映像デコーダ２３０は、ヘッダ削除処理部２３２と、映像デコード処理部２３４とを含む。ヘッダ削除処理部２３２は、第１の記憶領域ＡＲ１から映像用ＴＳパケットを読み出し、該映像用ＴＳパケットのＴＳヘッダを解析してＰＥＳパケット（第１のＰＥＳパケット）を生成した後、そのＰＥＳヘッダを削除する処理を行ってそのペイロード部を映像用ＥＳデータとしてメモリ２２０の第４の記憶領域ＡＲ４に格納する。そして、ヘッダ削除処理部２３２を含む映像デコーダ２３０が、表示タイミングに合わせて、表示制御部２５０に対して画像データの転送指示を行う。
【０１６３】
映像デコード処理部２３４は、第４の記憶領域ＡＲ４から映像用ＥＳデータを読み出し、Ｈ．２６４／ＡＶＣ（Advanced Video Coding）の規格に従ったデコード処理（広義には映像デコード処理）を行って生成される映像データを第７の記憶領域ＡＲ７に書き込む。
【０１６４】
音声デコーダ２４０は、ヘッダ削除処理部２４２と、音声デコード処理部２４４とを含む。ヘッダ削除処理部２４２は、第２の記憶領域ＡＲ２から音声用ＴＳパケットを読み出し、該音声用ＴＳパケットのＴＳヘッダを解析してＰＥＳパケット（第２のＰＥＳパケット）を生成した後、そのＰＥＳヘッダを削除する処理を行ってそのペイロード部を音声用ＥＳデータとしてメモリ２２０の第５の記憶領域ＡＲ５に格納する。音声デコード処理部２４４は、第５の記憶領域ＡＲ５から音声用ＥＳデータを読み出し、ＭＰＥＧ−２ＡＡＣ（Advanced Audio Coding）の規格に従ったデコード処理（広義には音声デコード処理）を行って生成される音声データを第８の記憶領域ＡＲ８に書き込む。
【０１６５】
そして、映像デコーダ２３０が、第１の記憶領域ＡＲ１から映像用ＴＳパケット（第１のＴＳパケット）を、音声デコーダ２４０とは独立して読み出し、該映像用ＴＳパケットに基づいて上記の映像デコード処理を行う。また音声デコーダ２４０が、第２の記憶領域ＡＲ２から音声用ＴＳパケット（第２のＴＳパケット）を、映像デコーダ２３０とは独立して読み出し、該音声用ＴＳパケットに基づいて上記の音声デコード処理を行う。こうすることで、映像と音声とを同期させて出力させる場合には映像デコーダ２３０及び音声デコーダ２４０を動作させることができる一方、映像のみを出力させる場合には映像デコーダ２３０のみを動作させて音声デコーダ２４０の動作を停止させることができる。また音声のみを出力させる場合には音声デコーダ２４０のみを動作させて映像デコーダ２３０の動作を停止させることができる。
【０１６６】
ホストＣＰＵ１１０は、第３の記憶領域ＡＲ３に格納されたその他のＴＳパケット（第３のＴＳパケット）を読み出し、該ＴＳパケットからセクションを生成する。そして該セクションに含まれる各種テーブル情報を解析する。ホストＣＰＵ１１０は、その解析結果をメモリ２２０の所定の記憶領域に設定すると共にＴＳ分離部２１０に対し制御情報として指定する。それ以降、ＴＳ分離部２１０は、チューナ９４０からのＴＳを該制御情報に従ってＴＳパケットを抽出する。一方、ホストＣＰＵ１１０は、映像デコーダ２３０及び音声デコーダ２４０に対して、それぞれ別個に起動コマンドを発行することができる。映像デコーダ２３０及び音声デコーダ２４０は、それぞれ独立してメモリ２２０にアクセスしてホストＣＰＵ１１０の解析結果を読み出し、該解析結果に対応したデコード処理を行う。
【０１６７】
２．３．１  再生動作
次に、本実施形態における情報再生装置としての画像処理ＩＣ２００において、ＴＳに多重化された映像データ又は音声データを再生する場合の動作について説明する。
【０１６８】
図１９に、ホストＣＰＵ１１０による再生処理の動作例のフロー図を示す。ホストＣＰＵ１１０は、ＲＡＭ１２０又はＲＯＭ１３０に格納されたプログラムを読み出し、該プログラムに対応した処理を実行することで図１９に示す処理を行うことができるようになっている。
【０１６９】
まずホストＣＰＵ１１０は、放送受信開始処理を行う（ステップＳ１００）。これによって、ＴＳとして受信された複数の番組のうち所望の番組の映像データ又は音声データをＴＳから抽出することができる。そして、ホストＣＰＵ１１０は、画像処理ＩＣ２００の映像デコーダ２３０及び音声デコーダ２４０の少なくとも１つを起動させる。
【０１７０】
その後、ホストＣＰＵ１１０は、映像及び音声の再生を行う場合には映像デコーダ２３０及び音声デコーダ２４０によりデコード処理を行わせる。或いはホストＣＰＵ１１０は、映像のみの再生を行う場合には音声デコーダ２４０の動作を停止させて映像デコーダ２３０によりデコード処理を行わせる。或いはまた、ホストＣＰＵ１１０は、音声のみの再生を行う場合には映像デコーダ２３０の動作を停止させて音声デコーダ２４０によりデコード処理を行わせる（ステップＳ１０１）。
【０１７１】
次に、ホストＣＰＵ１１０は、放送受信終了処理を行い（ステップＳ１０２）、一連の処理を終了する（エンド）。これによって、ホストＣＰＵ１１０は、画像処理ＩＣ２００の各部の動作を停止させる。
【０１７２】
２．３．２  放送受信開始処理
続いて、図１９に示す放送受信開始処理の処理例について説明する。ここでは、映像及び音声の再生を行う場合について説明する。
【０１７３】
図２０に、図１９の放送受信開始処理の動作例のフロー図を示す。ホストＣＰＵ１１０は、ＲＡＭ１２０又はＲＯＭ１３０に格納されたプログラムを読み出し、該プログラムに対応した処理を実行することで図２０に示す処理を行うことができるようになっている。
【０１７４】
まずホストＣＰＵ１１０は、画像処理ＩＣ２００の映像デコーダ２３０、音声デコーダ２４０を起動する（ステップＳ１１０）。その後、ホストＣＰＵ１１０は、チューナ９４０を初期化すると共に所与の動作情報を設定する（ステップＳ１１１）。そしてホストＣＰＵ１１０は、ＤＡＣ１５０に対しても初期化を行って所与の動作情報を設定する（ステップＳ１１２）。
【０１７５】
その後ホストＣＰＵ１１０は、ＴＳの受信を監視する（ステップＳ１１３：Ｎ）。ＴＳの受信が開始されると、画像処理ＩＣ２００では、ＴＳ分離部２１０が、上述のようにＴＳから映像用ＴＳパケット、音声用ＴＳパケット及びそれ以外のＴＳパケットに分離し、分離されたＴＳパケットは、専用に設けられたメモリ２２０の記憶領域に格納される。例えば画像処理ＩＣ２００のメモリ２２０における第３の記憶領域ＡＲ３にＴＳパケットが格納されたことを条件に発生する割り込み信号により、ホストＣＰＵ１１０はＴＳの受信を検出できる。或いはホストＣＰＵ１１０が、周期的にメモリ２２０の第３の記憶領域ＡＲ３をアクセスすることで、ＴＳパケットの書き込みが行われた否かを判断して、ＴＳの受信を判別できる。
【０１７６】
このようにしてＴＳの受信が検出されたとき（ステップＳ１１３：Ｙ）、ホストＣＰＵ１１０は、第３の記憶領域ＡＲ３に記憶されたＴＳパケットを読み出してセクションを生成する。そして、セクションに含まれるＰＳＩ（Program Specific Information：番組特定情報）／ＳＩ（Service Information：番組配列情報）を解析する（ステップＳ１１４）。このＰＳＩ／ＳＩは、ＭＰＥＧ−２システム（ISO/IEC 13818-1）にて規定されている。
【０１７７】
ＰＳＩ／ＳＩは、ＮＩＴ（Network Information Table：ネットワーク情報テーブル）やＰＭＴ（Program Map Table：番組対応テーブル）を含む。ＮＩＴは、例えばどの放送局からのＴＳかを特定するためのネットワーク識別子、ＰＭＴを特定するためのサービス識別子、放送の種類を示すサービスタイプ識別子等を含む。ＰＭＴには、例えばＴＳにおいて多重化される映像用ＴＳパケットのＰＩＤと音声用ＴＳパケットのＰＩＤが設定される。
【０１７８】
従って、ホストＣＰＵ１１０は、ＰＳＩ／ＳＩからＰＭＴを特定するためのサービス識別子を抽出し、該サービス識別子に基づき、受信したＴＳの映像用ＴＳパケット及び音声用ＴＳパケットのＰＩＤを特定できる（ステップＳ１１５）。そして、携帯端末のユーザに選択させた番組に対応するＰＩＤ、若しくは予め決められた番組に対応するＰＩＤを、ホストＣＰＵ１１０が、映像デコーダ２３０及び音声デコーダ２４０に参照できるようにメモリ２２０の所定の記憶領域（例えば第３の記憶領域ＡＲ３）に設定し（ステップＳ１１６）、一連の処理を終了する（エンド）。
【０１７９】
こうすることで、映像デコーダ２３０及び音声デコーダ２４０は、メモリ２２０に設定されたＰＩＤを参照しながら、映像用ＴＳパケット及び音声用ＴＳパケットに対してデコード処理を行うことができる。
【０１８０】
なおホストＣＰＵ１１０は、例えばＰＭＴを特定するためのサービス識別子に対応する情報を、画像処理ＩＣ２００のＴＳ分離部２１０に設定する。こうすることで、ＴＳ分離部２１０は、所定の時間間隔を置いて周期的に受信されるセクションを判別し、上記のサービス識別子に対応したＰＭＴを解析し、該ＰＭＴにより特定される映像用ＴＳパケット及び音声用ＴＳパケットとそれ以外のＴＳパケットを抽出してメモリ２２０に格納していく。
【０１８１】
図２１に、図１７及び図１８の画像処理ＩＣ２００の放送受信開始処理における動作説明図を示す。図２１において、図１７又は図１８と同一部分には同一符号を付し、適宜説明を省略する。
【０１８２】
なお図２１において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１８３】
まずチューナ９４０からＴＳが入力される（ＳＱ１）とＴＳ分離部２１０は、ＰＳＩ／ＳＩが含まれるＴＳパケットをメモリ２２０に格納する（ＳＱ２）。なお、ＴＳ分離部２１０は、エラー検出処理を行い、その結果をエラー情報として付加してＴＳパケットをメモリ２２０に格納する。このとき、ＴＳ分離部２１０は、該ＴＳパケットのＰＳＩ／ＳＩ自体を抽出してメモリ２２０に格納することができる。更にＴＳ分離部２１０は、ＰＳＩ／ＳＩからＮＩＴを抽出してメモリ２２０に格納することができる。
【０１８４】
ホストＣＰＵ１１０は、ＰＳＩ／ＳＩ、ＮＩＴ、ＰＭＴを読み出して（ＳＱ３）、これらを解析し、デコード処理対象の番組に対応するＰＩＤを特定する。そしてホストＣＰＵ１１０は、サービス識別子に対応する情報又はデコード処理対象の番組に対応するＰＩＤを、ＴＳ分離部２１０に設定する（ＳＱ４）。なおホストＣＰＵ１１０は、ＰＩＤを、メモリ２２０の所定の記憶領域にも設定し、映像デコーダ２３０及び音声デコーダ２４０のデコード処理の際に参照させる。ここで、ホストＣＰＵ１１０は、エラー情報に基づいてＴＳパケットの廃棄を行うことができる。
【０１８５】
ＴＳ分離部２１０は、設定されたＰＩＤに基づいてＴＳから映像用ＴＳパケット及び音声用ＴＳパケットを抽出し、それぞれ第１及び第２の記憶領域ＡＲ１、ＡＲ２に書き込む（ＳＱ５）。
【０１８６】
その後、ホストＣＰＵ１１０によって起動された映像デコーダ２３０及び音声デコーダ２４０は、第１及び第２の記憶領域ＡＲ１、ＡＲ２から映像用ＴＳパケット及び音声用ＴＳパケットを順次読み出して（ＳＱ６）、映像デコード処理及び音声デコード処理を行う。
【０１８７】
このとき、次のシーケンスで、ホストＣＰＵ１１０、映像デコーダ２３０及び音声デコーダ２４０がコマンドデータを介した通信を行う。
【０１８８】
２．３．３  放送受信終了処理
次に、図１９に示す放送受信終了処理の動作例について説明する。ここでは、映像及び音声の再生を行う場合について説明する。
【０１８９】
図２２に、図１９の放送受信終了処理の処理例のフロー図を示す。ホストＣＰＵ１１０は、ＲＡＭ１２０又はＲＯＭ１３０に格納されたプログラムを読み出し、該プログラムに対応した処理を実行することで図２２に示す処理を行うことができるようになっている。
【０１９０】
まずホストＣＰＵ１１０は、画像処理ＩＣ２００の映像デコーダ２３０、音声デコーダ２４０を停止させる（ステップＳ１２０）。これは、ホストＣＰＵ１１０から画像処理ＩＣ２００に対しコマンドを発行し、画像処理ＩＣ２００が該制御コマンドのデコード結果を用いて映像デコーダ２３０、音声デコーダ２４０を停止させる。
【０１９１】
その後、ホストＣＰＵ１１０は、同様にＴＳ分離部２１０を停止させる（ステップＳ１２１）。そして、ホストＣＰＵ１１０は、チューナ９４０を停止させる（ステップＳ１２２）。
【０１９２】
図２３に、図１７及び図１８の画像処理ＩＣ２００の放送受信終了処理における動作説明図を示す。図２３において、図２１と同一部分には同一符号を付し、適宜説明を省略する。
【０１９３】
まずホストＣＰＵ１１０が、表示制御部２５０の動作を停止させる制御を行い、表示ドライバ１４０への映像データの供給を停止させる（ＳＱ１０）。次に、ホストＣＰＵ１１０が、映像デコーダ２３０及び音声デコーダ２４０の動作を停止させ（ＳＱ１１）、その後ＴＳ分離部２１０、チューナ９４０の順に動作を停止させていく（ＳＱ１２、ＳＱ１３）。
【０１９４】
２．３．４  再生処理
２．３．４．１  映像データの再生処理
次に、映像データの再生処理を行う映像デコーダ２３０の動作例について説明する。
【０１９５】
図２４に、映像デコード処理時に行われる映像デコーダ２３０のメモリのアクセス動作例のフロー図を示す。
【０１９６】
まず、映像デコーダ２３０は、映像用ＴＳバッファとして設けられた第１の記憶領域ＡＲ１がエンプティ状態か否かを判別する（ステップＳ１４０）。第１の記憶領域ＡＲ１から読み出されるべき映像用ＴＳパケットがない場合、エンプティ状態となる。
【０１９７】
ステップＳ１４０において映像用ＴＳバッファである第１の記憶領域ＡＲ１がエンプティ状態でないと判別されたとき（ステップＳ１４０：Ｎ）、映像デコーダ２３０は、更に映像用ＥＳバッファとして設けられた第４の記憶領域ＡＲ４がフル状態か否かを判別する（ステップＳ１４１）。これ以上映像用ＥＳデータを第４の記憶領域ＡＲ４に格納できない場合、フル状態となる。
【０１９８】
ステップＳ１４１において映像用ＥＳバッファである第４の記憶領域ＡＲ４がフル状態でないと判別されたとき（ステップＳ１４１：Ｎ）、映像デコーダ２３０は、第１の記憶領域ＡＲ１から映像用ＴＳパケットを読み出し、図２０のステップＳ１１６においてホストＣＰＵ１１０により特定されたＰＩＤ（指定ＰＩＤ）か否かを検出する（ステップＳ１４２）。
【０１９９】
ステップＳ１４２において、映像用ＴＳパケットのＰＩＤが指定ＰＩＤであると検出されたとき（ステップＳ１４２：Ｙ）、映像デコーダ２３０は、ＴＳヘッダ、ＰＥＳヘッダの解析を行い（ステップＳ１４３）、映像用ＥＳデータを映像用ＥＳバッファとして設けられた第４の記憶領域ＡＲ４に格納する（ステップＳ１４４）。
【０２００】
その後、映像デコーダ２３０は、映像用ＴＳバッファである第１の記憶領域ＡＲ１の読み出しアドレスを特定するための読み出しポインタを更新し（ステップＳ１４５）、ステップＳ１４０に戻る（リターン）。
【０２０１】
なお、ステップＳ１４２において映像用ＴＳパケットのＰＩＤが指定ＰＩＤではないと検出されたとき（ステップＳ１４２：Ｎ）、ステップＳ１４５に進む。また、ステップＳ１４０において映像用ＴＳバッファである第１の記憶領域ＡＲ１がエンプティ状態であると判別されたとき（ステップＳ１４０：Ｙ）、又はステップＳ１４１において映像用ＥＳバッファである第４の記憶領域ＡＲ４がフル状態であると判別されたとき（ステップＳ１４１：Ｙ）、ステップＳ１４０に戻る（リターン）。
【０２０２】
こうして第４の記憶領域ＡＲ４に格納された映像用ＥＳデータは、映像デコーダ２３０により、Ｈ．２６４／ＡＶＣの規格に従ったデコード処理が行われて、映像データとして第７の記憶領域ＡＲ７に書き込まれる。
【０２０３】
図２５に、図１７及び図１８の画像処理ＩＣ２００の映像デコーダの動作説明図を示す。図２５において、図２１と同一部分には同一符号を付し、適宜説明を省略する。
【０２０４】
なお図２５において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０２０５】
まず図２０に示すようにホストＣＰＵ１１０によりデコード処理対象の番組に対応するＰＩＤがＴＳ分離部２１０に設定される（ＳＱ２０）。チューナ９４０からＴＳが入力されたとき（ＳＱ２１）、ＴＳ分離部２１０は、チューナ９４０からのＴＳから映像用ＴＳパケット、音声用ＴＳパケット及びそれ以外のＴＳパケットをそれぞれ分離する（ＳＱ２２）。ＴＳ分離部２１０によって分離された映像用ＴＳパケットは、ＴＳ分離部２１０で生成されたエラー情報と共に第１の記憶領域ＡＲ１に格納される。ＴＳ分離部２１０によって分離された音声用ＴＳパケットは、ＴＳ分離部２１０で生成されたエラー情報と共に第２の記憶領域ＡＲ２に格納される。ＴＳ分離部２１０によって分離された映像用ＴＳパケット及び音声用ＴＳパケット以外のＴＳパケットは、ＴＳ分離部２１０で生成されたエラー情報と共にＰＳＩ／ＳＩとして第３の記憶領域ＡＲ３に格納される。この際、ＴＳ分離部２１０は、ＰＳＩ／ＳＩの中のＮＩＴ、ＰＭＴを抽出して第３の記憶領域ＡＲ３に格納する。
【０２０６】
次にホストＣＰＵ１１０によって起動された映像デコーダ２３０は、第１の記憶領域ＡＲ１から映像用ＴＳパケットを読み出す（ＳＱ２３）。このとき、映像デコーダ２３０は、上述のエラー情報を参照して、映像デコード処理を行うか、映像用ＴＳパケットの廃棄を行うかを決定する。映像デコード処理を行うと決定したとき、映像デコーダ２３０は、映像用ＥＳデータを生成し、該映像用ＥＳデータを第４の記憶領域ＡＲ４に格納する（ＳＱ２４）。
【０２０７】
その後、映像デコーダ２３０は、第４の記憶領域ＡＲ４から映像用ＥＳデータを読み出して（ＳＱ２５）、Ｈ．２６４／ＡＶＣの規格に従ったデコード処理を行う。図２５では、デコード処理後の映像データが表示制御部２５０に直接供給されている（ＳＱ２６）が、例えばデコード処理後の映像データを、一旦、メモリ２２０の所定の記憶領域に書き戻し、その後、音声データの出力タイミングと同期を取りながら表示制御部２５０に供給することが望ましい。
【０２０８】
こうして表示制御部２５０に供給された映像データに基づいて、表示ドライバ１４０が表示パネルを駆動する（ＳＱ２７）。
【０２０９】
２．３．４．２  音声データの再生処理
続いて、音声データの再生処理を行う音声デコーダ２４０の動作例について説明する。
【０２１０】
図２６に、音声デコード処理時に行われる音声デコーダ２４０のメモリのアクセス動作例のフロー図を示す。
【０２１１】
まず、音声デコーダ２４０は、ホストＣＰＵ１１０によって起動されると、例えばメモリ２２０の所定の記憶領域に格納されたプログラムを読み出し、該プログラムに対応した処理を実行することで図２６に示す処理を行うことができるようになっている。即ち、音声デコーダ２４０はＣＰＵ（中央演算処理装置）を含み、画像処理ＩＣ２００（情報再生装置）の初期化処理後に、画像処理ＩＣ２００の外部から、ＣＰＵに音声デコード処理を実現するためのプログラムが読み込まれ、該ＣＰＵが音声デコード処理を実現することができる。
【０２１２】
まず、音声デコーダ２４０は、音声用ＴＳバッファとして設けられた第２の記憶領域ＡＲ２がエンプティ状態か否かを判別する（ステップＳ１５０）。第２の記憶領域ＡＲ２から読み出されるべき音声用ＴＳパケットがない場合、エンプティ状態となる。
【０２１３】
ステップＳ１５０において音声用ＴＳバッファである第２の記憶領域ＡＲ２がエンプティ状態でないと判別されたとき（ステップＳ１５０：Ｎ）、音声デコーダ２４０は、更に音声用ＥＳバッファとして設けられた第５の記憶領域ＡＲ５がフル状態か否かを判別する（ステップＳ１５１）。これ以上音声用ＥＳデータを第５の記憶領域ＡＲ５に格納できない場合、フル状態となる。
【０２１４】
ステップＳ１５１において音声用ＥＳバッファである第５の記憶領域ＡＲ５がフル状態でないと判別されたとき（ステップＳ１５１：Ｎ）、音声デコーダ２４０は、第２の記憶領域ＡＲ２から音声用ＴＳパケットを読み出し、図２０のステップＳ１１６においてホストＣＰＵ１１０により特定されたＰＩＤ（指定ＰＩＤ）か否かを検出する（ステップＳ１５２）。
【０２１５】
ステップＳ１５２において、音声用ＴＳパケットのＰＩＤが指定ＰＩＤであると検出されたとき（ステップＳ１５２：Ｙ）、音声デコーダ２４０は、ＴＳヘッダ、ＰＥＳヘッダの解析を行い（ステップＳ１５３）、音声用ＥＳデータを音声用ＥＳバッファとして設けられた第５の記憶領域ＡＲ５に格納する（ステップＳ１５４）。
【０２１６】
その後、音声デコーダ２４０は、音声用ＴＳバッファである第２の記憶領域ＡＲ２の読み出しアドレスを特定するための読み出しポインタを更新し（ステップＳ１５５）、ステップＳ１５０に戻る（リターン）。
【０２１７】
なお、ステップＳ１５２において、音声用ＴＳパケットのＰＩＤが指定ＰＩＤではないと検出されたとき（ステップＳ１５２：Ｎ）、ステップＳ１５５に進む。また、ステップＳ１５０において音声用ＴＳバッファである第２の記憶領域ＡＲ２がエンプティ状態であると判別されたとき（ステップＳ１５０：Ｙ）、又はステップＳ１５１において音声用ＥＳバッファである第５の記憶領域ＡＲ５がフル状態であると判別されたとき（ステップＳ１５１：Ｙ）、ステップＳ１５０に戻る（リターン）。
【０２１８】
こうして第５の記憶領域ＡＲ５に格納された音声用ＥＳデータは、音声デコーダ２４０により、ＭＰＥＧ−２ＡＡＣの規格に従ったデコード処理が行われて、音声データとして第８の記憶領域ＡＲ８に書き込まれる。
【０２１９】
図２７に、図１７及び図１８の画像処理ＩＣ２００の音声デコーダの動作説明図を示す。図２７において、図２１と同一部分には同一符号を付し、適宜説明を省略する。
【０２２０】
なお図２７において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０２２１】
まず図２０に示すようにホストＣＰＵ１１０によりデコード処理対象の番組に対応するＰＩＤがＴＳ分離部２１０に設定される（ＳＱ３０）。チューナ９４０からＴＳが入力されたとき（ＳＱ３１）、ＴＳ分離部２１０は、チューナ９４０からのＴＳから映像用ＴＳパケット、音声用ＴＳパケット及びそれ以外のＴＳパケットをそれぞれ分離する（ＳＱ３２）。ＴＳ分離部２１０によって分離された映像用ＴＳパケットは、ＴＳ分離部２１０で生成されたエラー情報と共に第１の記憶領域ＡＲ１に格納される。ＴＳ分離部２１０によって分離された音声用ＴＳパケットは、ＴＳ分離部２１０で生成されたエラー情報と共に第２の記憶領域ＡＲ２に格納される。ＴＳ分離部２１０によって分離された映像用ＴＳパケット及び音声用ＴＳパケット以外のＴＳパケットは、ＴＳ分離部２１０で生成されたエラー情報と共にＰＳＩ／ＳＩとして第３の記憶領域ＡＲ３に格納される。更にＴＳ分離部２１０は、ＰＳＩ／ＳＩの中のＮＩＴ、ＰＭＴを抽出して第３の記憶領域ＡＲ３の所定の記憶領域に書き込むことができる。
【０２２２】
次にホストＣＰＵ１１０によって起動された音声デコーダ２４０は、第２の記憶領域ＡＲ２から音声用ＴＳパケットを読み出す（ＳＱ３３）。このとき、音声デコーダ２４０は、上述のエラー情報を参照して、音声デコード処理を行うか、音声用ＴＳパケットの廃棄を行うかを決定する。音声デコード処理を行うと決定したとき、音声デコーダ２４０は、音声用ＥＳデータを生成し、該音声用ＥＳデータを第５の記憶領域ＡＲ５に格納する（ＳＱ３４）。
【０２２３】
その後、音声デコーダ２４０は、第５の記憶領域ＡＲ５から音声用ＥＳデータを読み出して（ＳＱ３５）、ＭＰＥＧ−２ＡＡＣの規格に従ったデコード処理を行う。図２７では、デコード処理後の音声データがＤＡＣ１５０に直接供給されている（ＳＱ３６）が、例えばデコード処理後の音声データを、一旦、メモリ２２０の所定の記憶領域に書き戻し、その後、映像データの出力タイミングと同期を取りながらＤＡＣ１５０に供給することが望ましい。
【０２２４】
以上のような音声デコーダ２４０の動作は、映像デコーダ２３０の動作とは独立して行われる。
【０２２５】
２．３．５  ＩＤＲピクチャ検索処理
本実施形態では、図２〜図３で説明したように、チューナ９４０からのタイムアウトを検出することができる。また、本実施形態では、図９〜図１１で説明したように致命的なエラー又は軽微なエラーを判別することで、その判別結果に応じたデコード処理を行うことができる。致命的なエラーを検出したときには、ＩＤＲピクチャの検索処理を行う。軽微なエラーを検出したときには、当該スライスをスキップする処理を行う。
【０２２６】
致命的なエラー又は軽微なエラーを判別する処理は、図９で示す処理と同様である。そして、致命的なエラー又は軽微なエラーに応じて切り替える処理は、図１１で示す処理と同様である。以下では、映像デコーダ２３０により行われるＩＤＲピクチャの検索処理の詳細について説明する。
【０２２７】
図２８に、映像デコーダ２３０により行われるＩＤＲピクチャの検索処理の詳細な処理例のフロー図を示す。図２８に示す処理は、例えば図１１のステップＳ４４において行われる。
【０２２８】
映像デコーダ２３０は、ＩＤＲピクチャを検索する処理を行う前に、映像デコード処理を中断する（ステップＳ１６０）。続いて、映像デコーダ２３０は、メモリ２２０の第１の記憶領域ＡＲ１に正常な映像用ＴＳパケットがあるとき（ステップＳ１６１：Ｙ、ステップＳ１６２：Ｙ）、ヘッダ削除処理部２３２により、第１の記憶領域ＡＲ１から読み出した映像用ＴＳパケットのＴＳヘッダを解析してＰＥＳパケットを生成した後、そのＰＥＳヘッダを削除する処理を行ってそのペイロード部を映像用ＥＳデータとしてメモリ２２０の第４の記憶領域ＡＲ４に格納する（ステップＳ１６３）。
【０２２９】
一方、第１の記憶領域ＡＲ１にデータがないとき（ステップＳ１６１：Ｎ）、第１の記憶領域ＡＲ１にデータがあるが正常なデータではないとき（ステップＳ１６１：Ｙ、ステップＳ１６２：Ｎ）、映像デコーダ２３０は、ステップＳ１６１に戻り、第１の記憶領域ＡＲ１に正常な映像用ＴＳパケットが格納されるまで待つ。
【０２３０】
ステップＳ１６３の後、メモリ２２０がエンプティ状態となって利用可の場合には（ステップＳ１６４：Ｙ）、ステップＳ１６１に戻る。これにより、ＴＳパケットからＴＳヘッダの削除等を行う分離処理が継続して行われる。
【０２３１】
ステップＳ１６４において、メモリ２２０がフル状態となって利用不可の場合には（ステップＳ１６４：Ｎ）、映像デコーダ２３０は、ＩＤＲピクチャの検索処理を行う（ステップＳ１６５）。そして、ＩＤＲピクチャが検索されたとき（ステップＳ１６６：Ｙ）、映像デコード処理部２３４が、映像デコード処理を行って（ステップＳ１６７）、一連の処理を終了する（エンド）。
【０２３２】
なお、ステップＳ１６６において、ＩＤＲピクチャが検索されないとき（ステップＳ１６６：Ｎ）、ステップＳ１６３に戻って、ＴＳパケットからＴＳヘッダの削除等を行う分離処理を行う。
【０２３３】
なお映像デコーダ２３０は、メモリ２２０に既に蓄積されているＴＳパケット等に対してデコード処理を行った後に、画像処理ＩＣ２００又は映像デコーダ２３０の動作が停止させることが望ましい。
【０２３４】
なお、本発明は上述した実施の形態に限定されるものではなく、本発明の要旨の範囲内で種々の変形実施が可能である。なお上記の実施形態又はその変形例では、地上デジタル放送に適用可能な例について説明したが、本発明は地上デジタル放送に適用可能なものに限定されるものではない。
【０２３５】
なお、本実施形態では、主にＨ．２６４／ＡＶＣに準拠したデコード処理に適用した場合について説明したが、これに限定されるものではなく、他の規格や、Ｈ．２６４／ＡＶＣ規格を発展させた規格に準拠したデコード処理に適用できることは言うまでもない。
【０２３６】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０２３７】
【図１】本実施形態におけるデコード装置の構成例のブロック図。
【図２】パケット監視部の動作例のフロー図。
【図３】デジタルチューナからのＴＳパケットのタイムアウトを検出するシーケンスの一例を示す図。
【図４】本実施形態においてＴＳパケットに付加されるエラー情報の説明図。
【図５】図４のエラー情報の詳細な説明図。
【図６】図５のエラーステータスの内容の一例の説明図。
【図７】本実施形態におけるエラー情報及びＴＳパケットのバッファの格納状況の説明図。
【図８】本実施形態におけるエラー情報の付加のタイミングの一例を示す図。
【図９】エラー解析部の処理例のフロー図。
【図１０】図１０（Ａ）〜図１０（Ｃ）はＲＳ符号エラーに基づくエラー発生情報の説明図。
【図１１】デコーダの処理例のフロー図。
【図１２】地上デジタル放送のセグメントの概念の説明図。
【図１３】ＴＳの説明図。
【図１４】ＰＥＳパケット及びセクションの説明図。
【図１５】本実施形態の比較例におけるマルチメディア処理ＣＰＵを含む携帯電話機の構成例のブロック図。
【図１６】本実施形態における情報再生装置を含む携帯電話機の構成例のブロック。
【図１７】図１６の画像処理ＩＣの構成例のブロック図。
【図１８】図１７の画像処理ＩＣの動作説明図。
【図１９】ホストＣＰＵによる再生処理の動作例のフロー図。
【図２０】図１９の放送受信開始処理の動作例のフロー図。
【図２１】図１７及び図１８の画像処理ＩＣの放送受信開始処理における動作説明図。
【図２２】図１９の放送受信終了処理の処理例のフロー図。
【図２３】図１７及び図１８の画像処理ＩＣの放送受信終了処理における動作説明図。
【図２４】映像デコーダのメモリのアクセス動作例のフロー図。
【図２５】図１７及び図１８の画像処理ＩＣの映像デコーダの動作説明図。
【図２６】音声デコーダのメモリのアクセス動作例のフロー図。
【図２７】図１７及び図１８の画像処理ＩＣの音声デコーダの動作説明図。
【図２８】ＩＤＲピクチャの検索処理の詳細な処理例のフロー図。
【符号の説明】
【０２３８】
１０  デコード装置、  ２０  パケット監視部、  ２２  カウンタ、
２４  エラー検出部、  ３０  デコーダ、  ４０  バッファ、  ５０  エラー解析部、
６０  デジタルチューナ、  ７０  出力部、  ８０  ホスト、  １００  携帯電話機、
１１０  ホストＣＰＵ、  １２０  ＲＡＭ、  １３０  ＲＯＭ、
１４０  表示ドライバ、  １５０  ＤＡＣ、  ２００  画像処理ＩＣ、
２１０  ＴＳ分離部、  ２３０  映像デコーダ、  ２４０  音声デコーダ、
２５０  表示制御部、  ２６０  チューナＩ／Ｆ、  ２７０  ホストＩ／Ｆ、
２８０  ドライバＩ／Ｆ、  ２９０  オーディオＩ／Ｆ、  ９１０、９３０  アンテナ、９４０  チューナ、  ９６０  表示パネル、  ９７０  スピーカ
【図１】
2008022053.tif 000003
【図２】
2008022053.tif 000004
【図３】
2008022053.tif 000005
【図４】
2008022053.tif 000006
【図５】
2008022053.tif 000007
【図６】
2008022053.tif 000008
【図７】
2008022053.tif 000009
【図８】
2008022053.tif 000010
【図９】
2008022053.tif 000011
【図１０】
2008022053.tif 000012
【図１１】
2008022053.tif 000013
【図１２】
2008022053.tif 000014
【図１３】
2008022053.tif 000015
【図１４】
2008022053.tif 000016
【図１５】
2008022053.tif 000017
【図１６】
2008022053.tif 000018
【図１７】
2008022053.tif 000019
【図１８】
2008022053.tif 000020
【図１９】
2008022053.tif 000021
【図２０】
2008022053.tif 000022
【図２１】
2008022053.tif 000023
【図２２】
2008022053.tif 000024
【図２３】
2008022053.tif 000025
【図２４】
2008022053.tif 000026
【図２５】
2008022053.tif 000027
【図２６】
2008022053.tif 000028
【図２７】
2008022053.tif 000029
【図２８】
2008022053.tif 000030